(57)【特許請求の範囲】
【請求項１】
棺桶の内側に敷くための葬祭用畳であって、
前記棺桶の内側棺底に設置可能な形状を有する段ボール材からなる畳床と、
この畳床の表面に張り合わせられる畳表と、を備え、
前記段ボール材は、
前記段ボール材の表裏に設けられる、バージンパルプを主原料として含むライナーと、
前記表裏二枚のライナーの間に挟まれる積層構造の波状板と、
前記波状板の各層を仕切る仕切り板と、を備える板厚１０〜２０ｍｍ程度の強化段ボール材であり、
加えて、前記畳床の棺幅方向の両端部には、前記畳床と同一の強化段ボール材からなる脚板が棺長さ方向に一定幅を保って固定されており、
前記棺桶の内側棺底に前記葬祭用畳が敷かれたとき、前記畳床の下方に前記脚板の厚さ分の空間が生じるように構成されることを特徴とする、葬祭用畳。
【請求項２】
棺桶の内側に敷くための葬祭用畳であって、
前記棺桶の内側棺底に設置可能な形状を有する段ボール材からなる畳床と、
この畳床の表面に張り合わせられる畳表と、を備え、
前記段ボール材は、
前記段ボール材の表裏に設けられる、バージンパルプを主原料として含むライナーと、
前記表裏二枚の外ライナーの間に挟まれるハニカム構造の波状板と、を備える板厚１０〜２０ｍｍ程度の強化段ボール材であり、
加えて、前記畳床の棺幅方向の両端部には、前記畳床と同一の強化段ボール材からなる脚板が棺長さ方向に一定幅を保って固定されており、
前記棺桶の内側棺底に前記葬祭用畳が敷かれたとき、前記畳床の下方に前記脚板の厚さ分の空間が生じるように構成されることを特徴とする、葬祭用畳。
【請求項３】
請求項１記載の葬祭用畳であって、
前記ライナーの板厚が前記波状板および前記仕切り板よりも大きく設定されており、かつ、前記波状板により形成されるフルートが前記棺桶の棺幅方向に連なるように設定される、葬祭用畳。
【請求項４】
請求項１または２記載の葬祭用畳であって、
前記畳床の棺長さ方向の一端部および他端部に、前記葬祭用畳を吊り上げて移動するための一対の取っ手がそれぞれ設けられる、葬祭用畳。
【発明の詳細な説明】
【技術分野】
【０００１】
この発明は、葬儀の際に棺桶の内側に敷いて用いるのに適した葬祭用畳に関する。
【背景技術】
【０００２】
昨今、故人の最期の時を畳の上でと願う遺族の配慮から、棺桶に納める副葬品として葬祭用畳が用いられることがある。この種の畳は、縦長の棺桶の内側に納めるために、通常の畳よりも細い矩形状の畳床を有し、この畳床にい草の畳表が張り付けられる。畳床の材料には、成型木材（インシュレーションボード）やプラスチック材（発泡体）が採用される。火葬時の燃焼性や軽量性を向上させるために、これらの材料に再生古紙からなる段ボール材を貼り合わせて併用することもある。
【０００３】
なお、このような葬祭用畳に関する先行技術としては、特許文献１〜６が開示されている。
【先行技術文献】
【特許文献】
【０００４】
【特許文献１】特開２０１１−１６９０４７号公報
【特許文献２】特開２０１１−０８０３０９号公報
【特許文献３】特開２００３−２３２１２１号公報
【特許文献４】特開平１１−０２２１６１号公報
【特許文献５】実用新案登録第３０７４６３０号公報
【特許文献６】実用新案登録第３０７２１３７号公報
【発明の概要】
【発明が解決しようとする課題】
【０００５】
しかしながら、このような従来の葬祭用畳は、畳床の材料に樹脂成分が多く含まれるため、燃焼効率が悪く、燃え残りが生じる問題がある。畳床がプラスチック材の場合は、材料そのものが樹脂成分であるし、成型木材の場合は、木質繊維を固める接着剤に樹脂成分が多く含まれる。このような燃え残りは、黒い焦げた塊のような状態で、炉内の吹きだまり箇所に多く発生している。
これに対し、燃焼中に燃え残った部分を掻き回すといった対策があるが、作業に手間がかかるし、掻き回す程度によっては遺骨が砕けることがあり、火葬場ではその取扱いに悩まされているのが現状である。
【０００６】
一方、成型木材やプラスチック材を使用せずに、紙材料である段ボール材を重ねて強度を高めたものを畳床に採用することも考えられるが、このような畳床の場合、十分な強度を得るには重ねる枚数が多くなるため、燃焼時間が長くなるおそれがある。また、再生古紙の原料である再生パルプには、バインダー等の樹脂成分が含まれるため、段ボール材の枚数を増やすと、結果的にこれらが燃え残りの原因となってしまう。
【０００７】
本発明の目的は、畳床の強度と燃焼性を良好に保ちつつ、燃え残りを極力少なくした葬祭用畳を提供することにある。
【課題を解決するための手段】
【０００８】
このような現状の下、本発明者らは、畳床の材料として、従来は採用されていなかった“強化段ボール”に着目した。一般に、段ボールは、ライナーと呼ばれる表裏の板に中芯（波状板）が挟まれた構造となっている。“強化段ボール”は、ライナーの主原料としてバージンパルプ（クラフトパルプ）を含み、かつ、中芯が単層の波状板ではなく、多層（積層構造）の波状板に形成される点で、再生古紙（再生パルプ）からなる通常の段ボール材とは異なる。段ボール面の強度を生むライナーに、再生パルプの平均繊維長の１０倍近い平均繊維長をもつバージンパルプを多く含むことにより、その強度が通常の段ボール材よりも大幅に強化されている。
【０００９】
“強化段ボール”は、ライナーの主原料がバージンパルプであるため、燃え残りの原因となるバインダー等の添加剤の量が極めて少ない。しかも、ライナーが厚肉に形成されており、段ボール面の強度が極めて大きいため、成型木材（インシュレーションボード）やプラスチック材（発泡体）と組み合わせることなく、単体でも畳床として使用することができる。
【００１０】
［第１発明］
すなわち、前記課題を解決するための第１発明の葬祭用畳は、棺桶の内側に敷くための葬祭用畳であって、
前記棺桶の内側棺底に設置可能な形状を有する段ボール材からなる畳床と、
この畳床の表面に張り合わせられる畳表とを備え、
前記段ボール材は、
前記段ボール材の表裏に設けられる、バージンパルプを主原料として含む厚肉のライナーと、
前記表裏二枚のライナーの間に挟まれる積層構造の波状板と、
前記波状板の各層を仕切る仕切り板と、を備える強化段ボール材である構成とした。
【００１１】
第１発明の葬祭用畳の構成によれば、畳床を形成する材料に、バージンパルプを主原料とする厚肉のライナーと積層構造の波状板とを含む強化段ボール材を採用するため、畳床の強度と燃焼性を良好に保つことができる。また、強化段ボール材のライナーにはバインダー等の樹脂成分がほとんど含まれないため、樹脂成分の燃え残りが生じない。このため、火葬時に葬祭用畳の取扱いが容易になる。
【００１２】
［第２発明］
第２発明の葬祭用畳は、棺桶の内側に敷くための葬祭用畳であって、
前記棺桶の内側棺底に設置可能な形状を有する段ボール材からなる畳床と、
この畳床の表面に張り合わせられる畳表と、を備え、
前記段ボール材は、
前記段ボール材の表裏に設けられる、バージンパルプを主原料として含む厚肉のライナーと、
前記表裏二枚の外ライナーの間に挟まれるハニカム構造の波状板と、を備える強化段ボール材である構成とした。
【００１３】
第２発明の葬祭用畳は、第１発明における強化段ボール材の構成のうち、積層構造の波状板をハニカム構造の波状板に置き換えたものである。ハニカム構造の波状板は、段ボール材の板厚方向にその板面が連なったもので、積層構造の波状板と同様に段ボール面を強度を高める作用をもつ。強化段ボール材の主要部であるライナーは、第１発明と同様にバージンパルプを主原料としている。
第２発明の構成によっても、強化段ボール材からなる畳床を採用することにより、畳床の強度と燃焼性を良好に保ちつつ、燃え残りを極力少なくすることができる。このため、火葬場で燃え残り対策を講じる必要がなく、葬祭用畳の取扱いが容易になる。
【００１４】
［第３発明］
第３発明の葬祭用畳は、第１発明の構成の葬祭用畳であって、
前記ライナーの板厚が前記波状板および前記仕切り板よりも大きく設定されており、かつ、前記波状板により形成される筒孔（フルート）が前記棺桶の棺幅方向（短手方向）に連なるように設定される構成とした。
【００１５】
葬祭用畳の畳床として、波状板を備えた段ボール材を採用する場合、通常は、縦長矩形の棺桶の形状に対して、波状板による筒孔（フルート）の向きが棺桶の前後長さ方向（長手方向）に向くように配置する。このように配置では、波状板の筒壁によって畳床が前後に曲がりにくくなるため、葬祭用畳の耐荷重性が良好になる。
ところが、発明者らの試作試験によれば、畳床として第１発明の強化段ボール材を採用する場合には、上記の配置に不具合が生じることが判明した。すなわち、波状板による筒孔（フルート）を上記の配置に設定すると、気温や湿度の変化に応じて畳床が前後長さ方向に撓んで変形しやすくなる。このような現象は、ライナーの板厚が波状板および仕切り板よりも大きいために両者の伸縮率の差によって生じるものと考えられる。
第３発明の構成では、強化段ボール材の波状板による筒孔（フルート）の向きを上記のように棺桶の前後長さ方向に向けるのではなく、棺桶の棺幅方向（短手方向）に向くように設定した。これにより、気温や湿度の変化に応じて厚肉のライナーが伸縮しても、これによる伸長または収縮が、隣り合う波状板の伸縮に吸収される。これにより、畳床の前後長さ方向の撓みによる変形を防止することができ、美観に優れた葬祭用畳に仕上げることができる。
【００１６】
［第４発明］
第４発明の葬祭用畳は、第１発明または第２発明の構成の葬祭用畳であって、
前記畳床の棺幅方向の両端部に、前記畳床と同一の強化段ボール材からなる脚板が棺長さ方向に一定幅を保って固定されており、
前記棺桶の内側棺底に前記葬祭用畳が敷かれたとき、前記畳床の下方に前記脚板の厚さ分の空間が生じるように構成した。
【００１７】
第４発明の構成によれば、棺桶の内側に葬祭用畳が敷かれると、畳床の下方に脚板の厚さ分の空間が生じるため、この空間が断熱層の役割を果たす。これにより、葬儀の際に、棺桶内の冷却剤からの冷気が棺底に伝わりにくくなり、棺桶外側の結露を効果的に防止することができる。
加えて、火葬時には、畳床の下方の空間は、燃焼過程で一時的に燃料ガスの流路となるため、棺桶の燃焼時間の短縮を図ることが可能となる。
さらに、脚板の材料には、畳床と同一の強化段ボール材が採用されるため、燃え残りの原因となることもない。
【００１８】
［第５発明］
第５発明の葬祭用畳は、第１発明または第２発明の構成の葬祭用畳であって、
前記畳床の棺長さ方向の一端部および他端部に、前記葬祭用畳を吊り上げて移動するための一対の取っ手がそれぞれ設けられる構成とした。
【００１９】
通夜などの葬儀を行う前には、葬儀者や親族等が棺桶に遺体を納める。通常は、専用の布団などに遺体をくるんで、数人がかりで持ち上げて棺桶に移動している。
第５発明の構成によれば、予め遺体の下に葬祭用畳を敷くことにより、葬祭用畳の前後二人がそれぞれ取っ手を持って畳ごと遺体を棺桶内に移動させることができる。つまり、葬祭用畳を担架のように使用することが可能になり、遺体の移動作業を少ない人数で簡単に行うことができる。また、遺体の移動と同時に、棺桶に葬祭用畳を入れることができるため、棺桶内に葬祭用畳を敷く準備作業を省くことが可能になる。
【００２０】
［第１〜５発明］
第１〜５発明において、葬祭用畳の用途（人用、ペット用等）や棺桶の種類（寝棺、座棺等）や形状は、特に限定されることはない。
第１〜５発明の強化段ボール材を構成するライナーは、バージンパルプ（クラフトパルプ）を主原料とするが、その含有量としては９０％以上（望ましくは９５％以上）であることが望ましい。
第１発明の強化段ボール材において、積層構造の波状板は、層の数が多い程段ボール面の強度が増すが、畳床の厚みを抑えるため二層構造または三層構造であることが望ましい。
なお、第１〜５発明は、単独で適用してもよいし、これらの発明を必要に応じて組み合わせて適用することもできる。また、第１〜５発明に本明細書に記載される他の発明を組み合わせてもよい。
【図面の簡単な説明】
【００２１】
【図１】本発明の第１実施形態による葬祭用畳を示す斜視図である。
【図２】同葬祭用畳の断面図であって、（Ａ）は分解状態、（Ｂ）は完成状態を示す図である。
【図３】（Ａ）は同葬祭用畳を示す一部切り欠き組立分解斜視図、（Ｂ）は（Ａ）のＢ部分拡大断面図である。
【図４】同葬祭用畳の畳床（強化段ボール材）の断面構造を説明するもので、（Ａ）は同葬祭用畳の強化段ボール材の断面図、（Ｂ）は比較例の強化段ボール材の断面図である。
【図５】本発明の第２実施形態による葬祭用畳を示す斜視図である。
【図６】同葬祭用畳の断面図であって、（Ａ）は分解状態、（Ｂ）は完成状態を示す図である。
【図７】同葬祭用畳の畳床（強化段ボール材）の一部切り欠き展開図である。
【図８】同葬祭用畳の畳床（強化段ボール材）を示す正面図および底面図である。
【図９】同葬祭用畳の使用状態を示す断面図である。
【図１０】本発明の第３実施形態による葬祭用畳を示す斜視図である。
【図１１】第１実施形態の変形例を示すもので、（Ａ）は葬祭用畳を示す一部切り欠き組立分解斜視図、（Ｂ）は（Ａ）のＢ部分拡大断面図である。
【図１２】第２実施形態の変形例を示すもので、（Ａ）は葬祭用畳の断面図、（Ｂ）は（Ａ）の部分拡大断面図である。
【図１３】第３実施形態の変形例による葬祭用畳を示す一部切り欠き斜視図である。
【発明を実施するための形態】
【００２２】
以下、本発明の実施形態を図面に基づいて説明する。なお、以下に記載の実施形態およびその変形例は、本発明を適用した形態の一例であり、発明の範囲がこれらの実施形態に限定されるものではない。
【００２３】
［第１実施形態］
第１実施形態の葬祭用畳１０を図１〜図３に示す。
葬祭用畳１０は、葬儀の際に副葬品として棺桶Ｋに納められるもので、棺桶Ｋの内側に敷き込まれる。葬祭用畳１０の上に遺体を載せて葬儀を行い、火葬時には棺桶Ｋ内で葬祭用畳１０が焼却される。
なお、棺桶Ｋの寸法は、例えば前後の棺長さ（長辺）が１７０〜２００ｃｍ程度、左右の棺幅（短辺）が５０〜７０ｃｍ程度、高さが４０〜５０ｃｍ程度である。
【００２４】
図２に示すように、葬祭用畳１０の基本的な構成としては、畳床１１と、畳表１２と、畳縁１３とを備えている。畳床１１の表面に畳表１２が張り合わされ、その両端部（棺幅方向の端部）に畳縁１３が縫い付けられる。
畳表１２は、一般的な畳と同様に、い草を緯糸（よこいと）、麻糸か綿糸を経糸（たていと）にして織り上げたものが用いられる。合成繊維を織った畳表や合成樹脂の表面に畳の目を型押ししたシート状の畳表を採用することも可能であるが、燃え残りを極力減らすためには上記の天然素材からなる畳表１２を採用することが望ましい。
畳縁１３は、畳床１１の側面部（框かまち）に沿って縫い付けられる帯状の布である。畳縁１３の表面には各種図柄などが表れているものであってもよい。
【００２５】
葬祭用畳１０の製法は、基本的に一般の畳と同様である。例えば所定のサイズにカットされた畳床１１を畳表１２で包み込み、長手方向に畳表１２を巻き付けてその先端部を畳床１１の裏側に縫い付ける。その後、畳床１１の幅に合わせて畳表１２の幅を切り揃えて、畳縁１３で切り口を隠すと同時に畳床１１に縫い付けて止める。
【００２６】
第１実施形態の葬祭用畳では、図３に示すように、畳床１１の材料として、強化段ボール材が採用される。畳床１１に成型木材（インシュレーションボード）やプラスチック材（発泡体）が併用されることはなく、強化段ボール材が単体で用いられる。
図３（Ｂ）に示すように、畳床１１に採用される強化段ボール材は、表裏２枚の厚肉のライナー１５ａと１５ｂとの間に、２層の波状板１６ａおよび１６ｂが仕切り板１７を介して積層されてなる。ライナー１５ａ，１５ｂは、再生パルプの平均繊維長の１０倍近い平均繊維長をもつバージンパルプ（クラフトパルプ）を主原料として９５％以上含有し、その厚みは、波状板１６ａ，１６ｂの厚みよりも数倍大きく設定されている。
なお、このような強化段ボール材としては、例えば板厚１０〜２０ｍｍ程度の二層強化段ボール材（トライウォール社製）を採用することができる。第１実施形態では、二層構造の波状板を採用しているが、三層構造の波状板を採用することももちろん可能である。
【００２７】
ここで、畳床１１において、強化段ボール材の波状板１６ａ，１６ｂによる筒孔（フルート）の向きは、棺桶Ｋの棺長さ方向（長手方向）に向けるのではなく、棺幅方向（短手方向）に向くように設定される（図３（Ａ）参照）。
前述したように、ライナー１５ａ，１５ｂの板厚が波状板よりも十分に大きい場合、両者の伸縮率に差が生じる。このため、波状板１６ａ，１６ｂによる筒孔（フルート）を棺長さ方向（長手方向）に設定すると、気温や湿度の変化に応じて畳床１１が前後長さ方向に撓んで変形しやすくなる（図４（Ｂ）参照）。
【００２８】
畳床１１では、強化段ボール材の波状板１６ａ，１６ｂによる筒孔（フルート）の向きが、棺桶Ｋの棺幅方向（短手方向）に向くように設定されることにより、気温や湿度の変化に応じて厚肉のライナー１５ａ，１５ｂが伸縮しても、これによる伸長または収縮が、隣り合う波状板１６ａ，１６ｂの伸縮に吸収される（図４（Ａ）参照）。これにより、畳床１１の長さ方向の撓みによる変形を防止することができ、美観に優れた葬祭用畳１０に仕上げることができる。
【００２９】
このように葬祭用畳１０の構成によれば、畳床１１を形成する材料に、バージンパルププを主原料とする厚肉のライナー１５ａ，１５ｂと積層構造の波状板１６ａ，１６ｂとを含む強化段ボール材を採用するため、畳床１１の強度と燃焼性を良好に保つことができる。また、強化段ボール材のライナー１５ａ，１５ｂにバインダー等の樹脂成分がほとんど含まれないため、このような樹脂成分の燃え残りが生じない。このため、火葬時に葬祭用畳の取扱いが容易になる。
【００３０】
なお、本発明者らが葬祭用畳を含む棺桶の燃焼試験を行ったところ、畳床として再生古紙（再生パルプ）からなる段ボール材を採用した場合と、上記強化段ボール材を採用した場合とでは、燃え残りの量に明らかな差が生じた。つまり、前者の場合は黒い塊状の燃え残りが目視により確認することができたのに対し、後者の場合は、同様な燃え残りを目視ではほとんど確認することができなかった。このような結果から、本実施形態の葬祭用畳１０は、火葬場において特別な燃え残り対策が不要になり、その取扱いを容易にすることができる。
【００３１】
［第２実施形態］
次に、第２実施形態の葬祭用畳２０を図５〜図９に示す。
葬祭用畳２０は、畳床１１の下側に脚板２５（図６参照）を設けたものである。図５に示すように、葬祭用畳２０では、畳の厚さが第１実施形態の葬祭用畳１０よりも脚板２５の分だけ大きい。
【００３２】
図６に示すように、葬祭用畳２０の基本的な構成は、第１実施形態と同様であり、畳床１１と、畳表１２と、畳縁１３とを備える。畳床１１の強化段ボール材は、表裏２枚の厚肉のライナー１５ａと１５ｂとの間に、２層の波状板１６ａおよび１６ｂが仕切り板１７を介して積層されてなる（図３（Ｂ）参照）。
【００３３】
畳床１１の裏面における棺幅方向（短手方向）の両端部には、畳床１１と同一の強化段ボール材からなる脚板２５，２５が棺長さ方向（長手方向）に一定幅を保って固定される。後述するように、畳床１１の下方には、脚板２５，２５の厚さ（強化段ボール材の厚さ）に応じた空間Ｓが生じる。
【００３４】
畳床１１と脚板２５，２５とは、図７に示す強化段ボール材Ｐから作製される。強化段ボール材Ｐの表面には、畳床１１と脚板２５，２５との境界に、２列に並んだＶ溝ｖ1，ｖ2が設けられる。これらのＶ溝は、強化段ボール材Ｐの表裏のライナーのいずれかを残して他の部分に回転刃等を用いて切削加工を施すことにより形成される。Ｖ溝ｖ1，ｖ2の断面の角度はほぼ９０゜である。
【００３５】
葬祭用畳２０を製造する場合、予め所定サイズにカットした強化段ボール材ＰにＶ溝ｖ1，ｖ2の加工を施し、次いで、Ｖ溝ｖ1，ｖ2の溝面が密着するように強化段ボール材Ｐを折り曲げる。すると、強化段ボール材Ｐの図７で左右端部が１８０゜折り返され、図６に示すように、畳床１１の両端に脚板２５，２５の端が揃って重なる状態となる。
続いて畳床１１に畳表１２を張り合わせ、畳縁１３を縫い付ける。このとき、畳縁１３は、畳床１１から脚板２５の裏側まで届く長さにしてこれらの側面が隠れるようにする。このように畳床１１と脚板２５，２５を一枚の強化段ボール材Ｐから一体的に作製することで、生産性が良好になり、葬祭用畳２０の寸法精度を向上させることができる。
【００３６】
図８に示すように、畳床１１の裏側には、脚板２５，２５に加えて同一の強化段ボール材からなる補強板２６が設けられる。補強板２６は、畳床１１の長さ方向のほぼ中間にあり、脚板２５，２５の厚さ分の空間Ｓにより畳床１１の耐荷重性が低下するのを抑える。
【００３７】
図９に示すように、葬儀の際には、例えば棺台２７に枕木２８，２８を並べ、これらに架け渡すように棺桶Ｋを載せる。枕木２８，２８は、棺桶Ｋの下方に隙間を空けるためのもので、これにより、この隙間に指がかかって棺桶Ｋの持ち運びが容易になる。通常、棺桶Ｋ内にはドライアイスなどの冷却剤が入るが、この冷気が棺底まで伝わると、結露が生じて棺台２７が濡れるなどの問題が生じている。
【００３８】
葬祭用畳２０の構成によれば、棺桶Ｋの内側に葬祭用畳２０が敷かれると、畳床１１の下方に脚板２５の厚さ分の空間Ｓが生じるため、この空間Ｓが断熱層の役割を果たす。これにより、葬儀の際に、棺桶Ｋ内の冷却剤からの冷気が棺底に伝わりにくくなり、棺底の結露を効果的に防止することができる。
加えて、火葬時には、畳床１１の下方の空間Ｓは、燃焼過程で一時的に燃料ガスの流路（燃焼ガス接触空間）となるため、棺桶Ｋの燃焼時間の短縮を図ることが可能となる。
さらに、脚板２５の材料には、畳床１１と同一の強化段ボール材が採用されるため、燃え残りの原因となることもない。
【００３９】
［第３実施形態］
次に、第３実施形態の葬祭用畳３０を図１０に示す。
葬祭用畳３０は、畳床の棺長さ方向の一端部および他端部に、葬祭用畳３０を吊り上げて移動するための一対の取っ手３１，３１および３２，３２を設けたものである。
【００４０】
葬祭用畳３０の基本的な構成は、第２実施形態の構成と同様である。図６に示す脚板２５の裏側から畳床１１と畳縁１３を貫通するように取っ手３１，３１および３２，３２が固定される。
【００４１】
このような構成によれば、葬儀の際に予め遺体の下に葬祭用畳３０を敷くことにより、葬祭用畳３０の前後二人がそれぞれ取っ手を持って畳ごと遺体を棺桶Ｋ内に移動させることができる。つまり、葬祭用畳３０を担架のように使用することが可能になり、遺体の移動作業を少ない人数で簡単に行うことができる。また、遺体の移動と同時に、棺桶Ｋに葬祭用畳３０を入れることができるため、棺桶Ｋ内に葬祭用畳３０を敷く準備作業を省くことが可能になる。
【００４２】
［変形例］
以上、本発明の実施形態による棺桶を説明したが、本発明の実施形態は、これらの構成に限定されることなく、種々の変形や変更を伴ってもよい。
前記第１実施形態では、畳床１１の材料として積層構造の波状板を有する強化段ボール材を採用しているが、図１１に示す葬祭用畳４０では、ハニカム構造の波状板を有する強化段ボール材を採用している。
ハニカム構造の波状板４１は、段ボール材の板厚方向にその板面が連なったもので、積層構造の波状板と同様に段ボール面を強度を高める作用をもつ。強化段ボール材の主要部である厚肉のライナー１５ａ，１５ｂは、第１実施形態と同様にバージンパルプを主原料としている。
【００４３】
葬祭用畳４０の構成によっても、強化段ボール材からなる畳床を採用することにより、畳床の強度と燃焼性を良好に保ちつつ、燃え残りを極力少なくすることができる。このため、火葬場で燃え残り対策を講じる必要がなく、葬祭用畳４０の取扱いが容易になる。
このようなハニカム構造の波状板を有する強化段ボール材は、もちろん第２および第３実施形態に採用することもできる。
【００４４】
前記第２実施形態では、強化段ボール材Ｐの端部を二列のＶ溝ｖ1，ｖ2で折り返すことにより、脚板２５を設けたが、図１２に示す葬祭用畳５０では、畳床１１と脚板５１とそれぞれ別にカットして準備した後、互いを貼り合わせる構成とした。
このような構成によれば、強化段ボール材の端切れなどを脚板５１として使用することができ、材料費の節約を図ることができる。
【００４５】
前記第３実施形態では、畳床１１と脚板２５に取っ手３１および３２を固定したが、図１３に示す葬祭用畳６０では、畳床１１の外周に矩形の枠板６１を設け、この枠板６１の長さ方向の前後にそれぞれ一対の取っ手６２を設ける構成とした。枠板６１は、畳床１１と同一の強化段ボール材で形成されており、Ｖ溝（図示省略）によって畳床１１にほぼ垂直に立ち上げられる。枠板６１の表面には、畳縁１３と同一の布が縫い付けられる。取っ手６２は、枠板６１の内側から外側にに貫通して固定される。
このような構成によれば、葬祭用畳６０を持ち上げて移動するときに、副葬品などが枠板６１の外側に落下しにくくなる。このため、葬祭用畳６０の担架機能がさらに向上する。
さらに、前記第１〜３実施形態では、畳床１１に畳縁１３を設ける構成としたが、畳縁１３は必ずしも必要なく、縁なし畳の構成にすることも可能である。
【符号の説明】
【００４６】
１０・・葬祭用畳
１１・・畳床    １２・・畳表    １３・・畳縁
１５ａ，１５ｂ・・ライナー    １６ａ，１６ｂ・・波状板    １７・・仕切り板
２０・・葬祭用畳
２５・・脚板    ２６・・補強板
３０・・葬祭用畳
３１，３２・・取っ手
Ｋ・・棺桶
Ｐ・・強化段ボール材
Ｓ・・空間
【図１】
0006550574.tif 000002
【図２】
0006550574.tif 000003
【図３】
0006550574.tif 000004
【図４】
0006550574.tif 000005
【図５】
0006550574.tif 000006
【図６】
0006550574.tif 000007
【図７】
0006550574.tif 000008
【図８】
0006550574.tif 000009
【図９】
0006550574.tif 000010
【図１０】
0006550574.tif 000011
【図１１】
0006550574.tif 000012
【図１２】
0006550574.tif 000013
【図１３】
0006550574.tif 000014